(57)【要約】【課題】冷暖房効率を向上させて省エネルギーに資する輻射冷暖房システムを提供すること。【解決手段】表層板２１と裏板２２とを有し、表層板２１と裏板２２との間に気体の熱媒体ｇを流通させる熱媒体流通空間２３が形成された、冷暖房室Ｒを区画する仕切パネル２０と、熱媒体ｇの温度を調節する温調機器と、温調機器から仕切パネル２０へ熱媒体ｇを導くダクト５５とを備え、仕切パネル２０の輻射熱により冷暖房室Ｒの冷房又は暖房を行うように構成されている輻射冷暖房システムは、熱媒体ｇの熱を効率よく仕切パネル２０に伝達して冷暖房室Ｒを輻射冷暖房することができる。【選択図】図２
2007162970.tif 000002
【特許請求の範囲】
【請求項１】
表層板と裏板とを有し、前記表層板と裏板との間に気体の熱媒体を流通させる熱媒体流通空間が形成された、冷暖房室を区画する仕切パネルと；
前記熱媒体の温度を調節する温調機器と；
前記温調機器から前記仕切パネルへ前記熱媒体を導くダクトとを備え；
前記仕切パネルの輻射熱により前記冷暖房室の冷房又は暖房を行うように構成された；
輻射冷暖房システム。
【請求項２】
前記仕切パネルが、フリーアクセスフロアとして前記冷暖房室の床に複数配設されると共に、前記熱媒体を前記熱媒体流通空間に導入する導入口及び前記熱媒体を前記熱媒体流通空間から導出する導出口が前記裏板に形成され；
前記ダクト内の前記熱媒体を、前記フリーアクセスフロアを構成する第１の仕切パネルの導入口と前記第１の仕切パネルに隣接する第２の仕切パネルの導入口とに導くチャンバーを備える；
請求項１に記載の輻射冷暖房システム。
【発明の詳細な説明】
【技術分野】
【０００１】
本発明は輻射冷暖房システムに関し、特に冷暖房効率を向上させた輻射冷暖房システムに関するものである。
【背景技術】
【０００２】
近年、省エネルギーと快適性とを両立する冷暖房方式として、輻射冷暖房システムが注目されている。輻射冷暖房システムは、天井面や床面等を、冷房時は冷やし暖房時は温めて、冷却又は加熱した天井面や床面等からの輻射熱により冷暖房室の温度を調整するシステムである。輻射熱による冷暖房は、室内に極端な温度ムラが生じないため快適であると共に、天井面や床面等を冷却又は加熱するのに必要な熱量がいわゆる対流方式の冷暖房システムに比べて少ない。このため、輻射冷暖房システムは、より省エネルギーなシステムと言える。
【０００３】
輻射冷暖房システムの一例として、床下地ボードの下面に冷風や温風の熱媒体を衝突させて放射状に拡散させ、床仕上材を効率よく冷却又は加熱して、床仕上材から生じる冷輻射や温輻射熱の効果を高めて、床輻射冷暖房を行うものがある。この輻射空調システムでは、コンクリートスラブと床下地ボードとの間の床下送気空間に、床下地ボードに対して水平方向に熱媒体を流し、床下送気空間に複数設置された気流方向変換器で水平方向の流れを垂直方向の流れに変換して、熱媒体を床下地ボードの下面に衝突させて床仕上材を冷却又は加熱して床輻射冷暖房を行っていた（例えば特許文献１参照）。
【特許文献１】特開２００４−１３２６８０号公報（図１等）
【発明の開示】
【発明が解決しようとする課題】
【０００４】
上述の輻射冷暖房システムによれば良好な輻射効果を得られるが、地球環境保全意識が向上してきていると共に使用者のニーズが多様化してきている現在では、さまざまなバリエーションの省エネルギーに資するシステムを提供することは、システム選択の幅を広め、より使用者のニーズに適うこととなる。
【０００５】
本発明は上述の課題に鑑み、冷暖房効率を向上させて省エネルギーに資する輻射冷暖房システムを提供することを目的とする。
【課題を解決するための手段】
【０００６】
上記目的を達成するために、請求項１に記載の発明に係る輻射冷暖房システムは、例えば図１及び図２に示すように、表層板２１と裏板２２とを有し、表層板２１と裏板２２との間に気体の熱媒体ｇを流通させる熱媒体流通空間２３が形成された、冷暖房室Ｒを区画する仕切パネル２０と；熱媒体ｇの温度を調節する温調機器５１と；温調機器５１から仕切パネル２０へ熱媒体ｇを導くダクト５３、５４、５５とを備え；仕切パネル２０の輻射熱により冷暖房室Ｒの冷房又は暖房を行うように構成されている。
【０００７】
このように構成すると、表層板と裏板とを有し、表層板と裏板との間に気体の熱媒体を流通させる熱媒体流通空間が形成された、冷暖房室を区画する仕切パネルを備えるので、熱媒体の熱を効率よく仕切パネルに伝達して冷暖房室を輻射冷暖房することができる輻射冷暖房システムとなる。なお、「輻射熱」は、冷熱の輻射（仕切パネルが冷暖房室内よりも低温のときに仕切パネルが吸熱を行う）を含む。
【０００８】
また、請求項２に記載の発明に係る輻射冷暖房システムは、例えば図２に示すように、請求項１に記載の輻射冷暖房システム１０において、仕切パネル２０が、フリーアクセスフロアとして冷暖房室Ｒの床に複数配設されると共に、熱媒体ｇを熱媒体流通空間２３に導入する導入口２２ａ及び熱媒体ｇを熱媒体流通空間２３から導出する導出口２２ｂが裏板２２に形成され；ダクト５５内の熱媒体ｇを、フリーアクセスフロアを構成する第１の仕切パネル２０（２０Ａ）の導入口２２ａと第１の仕切パネル２０（２０Ａ）に隣接する第２の仕切パネル２０（２０Ｂ）の導入口２２ａとに導くチャンバー３１を備える。
【０００９】
このように構成すると、仕切パネルがフリーアクセスフロアとして前記冷暖房室の床に複数配設されるので、冷暖房室の床下に配管や配線をしつつ床輻射冷暖房を行うことができ、また、ダクト内の熱媒体を、フリーアクセスフロアを構成する第１の仕切パネルの導入口と第１の仕切パネルに隣接する第２の仕切パネルの導入口とに導くチャンバーを備えるので、１つのチャンバーから複数のフリーアクセスフロアに熱媒体を供給することができる。なお、フリーアクセスフロアとは、躯体の床（例えばコンクリート床）上に間隔を取って所定の大きさのパネルを複数枚敷設することにより、仕上げの床面と躯体の床との間に、ダクトの敷設や配線等が可能な空間を形成する組立式上げ床である。
【発明の効果】
【００１０】
本発明によれば、表層板と裏板とを有し、表層板と裏板との間に気体の熱媒体を流通させる熱媒体流通空間が形成された、冷暖房室を区画する仕切パネルを備えるので、熱媒体の熱を効率よく仕切パネルに伝達して冷暖房室を輻射冷暖房することができる輻射冷暖房システムとなる。
【発明を実施するための最良の形態】
【００１１】
以下、図面を参照して、本発明の実施の形態について説明する。なお、各図において互いに同一又は相当する部材には同一あるいは類似の符号を付し、重複した説明は省略する。
【００１２】
まず図１及び図２を参照して、本発明の実施の形態に係る輻射冷暖房システム１０について説明する。図１は、輻射冷暖房システム１０の全体構成概略図である。図２は、図１のII−II断面図である。輻射冷暖房システム１０は、冷暖房室Ｒを区画する仕切パネルとしての床パネル２０と、床パネル２０に熱媒体としての空気ｇを供給するチャンバー３１と、空気ｇの温度を調節する温調機器５１と、温調機器５１からチャンバー３１を介して床パネル２０に空気ｇを導くダクト５３、５４、５５と、ダクト５４を流れる空気ｇを分配する空気分配器４０とを備えている。
【００１３】
輻射冷暖房システム１０を構成する温調機器５１は、典型的には冷暖房室Ｒの外に配置されており、温調機器５１にはメインダクト５３が接続され、メインダクト５３からは複数のサブダクト５４が分岐している。サブダクト５４には、１本につき複数の空気分配器４０が配設されており、空気分配器４０にはフレキシブルダクト５５が接続されている。フレキシブルダクト５５は、空気分配器４０とチャンバー３１とを接続している。チャンバー３１は、典型的には床パネル２０の枚数が４枚につき１つの割合で配設されている。床パネル２０は、冷暖房室Ｒの床に敷き詰められて冷暖房室Ｒの床面を形成している。床パネル２０が敷き詰められた冷暖房室Ｒの床は、フリーアクセスフロアとなっている。以下、冷暖房室Ｒを構成する各部材を詳細に説明する。
【００１４】
図３及び図２を参照して、床パネルを説明する。図３は、床パネルを裏板２２側から見た図であり、（ａ）は平面図である。まず、図２及び図３（ａ）を参照する。
床パネル２０は、表層板２１と裏板２２とを有している。表層板２１は、基本形状が矩形の平板であり、典型的には正方形の平板である。裏板２２は、基本形状が矩形（典型的には正方形であり、以下裏板２２は正方形であるとして説明する）の平板を有し、正方形の外周全体が正方形の面に垂直に延びており、容器状に形成されている。容器状に形成された裏板２２に蓋をするように表層板２１が取り付けられることにより、床パネル２０が形成されている。これにより、床パネル２０は中空となっている。表層板２１は、裏板２２にビスで固定するようにしてもよく、あるいは表層板２１に爪を形成して嵌め込むように固定してもよい。床パネル２０を構成する各部材は、典型的には、圧延鋼板に静電塗装を施したものが用いられる。なお、床パネル２０は、表層板２１と裏板２２とを別々に製造して後に組み立てる以外に、鋳造や押出成形等により一体に成形してもよい。床パネル２０は、例えば一辺の長さを５００ｍｍとし、全体として平板状に形成されている。
【００１５】
裏板２２は、正方形の１つの角部分が開口されて空気ｇを導入する導入口２２ａが形成されており、また、導入口２２ａが形成された角部分の対角となる角部分が開口されて空気ｇを導出する導出口２２ｂが形成されている。導入口２２ａ及び導出口２２ｂは、典型的には円孔であるが、四角形等の開口であってもよい。導入口２２ａ及び導出口２２ｂの大きさは、床パネルの一辺が５００ｍｍの場合に、例えば約φ２０ｍｍ程度（円孔の場合）であるが、これに限らず床パネル２０に導入される空気ｇの流量に応じて適宜決定するとよい。導入口２２ａは、角部の頂点からできるだけ近くに形成されていることが好ましく、少なくとも床パネル２０を支持する受け部材２４が接触する範囲内に形成されている。床パネル２０は、空気ｇが導入口２２ａから流入し、表層板２１と裏板２２との間の中空部分を通って導出口２２ｂから流出するように構成されている。このことから分かるように、表層板２１と裏板２２との間の中空部分は、熱媒体流通空間としての空気流路２３となっている。床パネル２０は、空気ｇが空気流路２３を流れることにより、空気ｇの熱を床パネル２０に伝達することができるように構成されている。
【００１６】
図３（ｂ）は、変形例に係る床パネル２０Ｒの裏板２２側から見た平面図である。床パネル２０Ｒは、導出口２２ｂの他に、導出口２２ｂが形成されている角部分と隣り合う両角部分に導出口２２ｃ及び導出口２２ｄがそれぞれ形成されているところが床パネル２０（図３（ａ）参照）と異なっている。その他の部分は床パネル２０と同様に構成されている。床パネル２０Ｒでは、導入口２２ａから流入した空気ｇが各導出口２２ｂ、２２ｃ、２２ｄから流出するので、床パネル２０Ｒ全体に空気ｇの熱を伝達することができる。なお、空気ｇを導出させたくない導出口がある場合は、その導出口にキャップをすればよい。
【００１７】
図３（ｃ）は、別の変形例に係る床パネル２０Ｓの裏板２２側から見た平面図である。床パネル２０Ｓは、空気流路２３内を空気ｇが蛇行するように、空気流路２３内に隔壁２８が設けられている。隔壁２８は、床パネル２０Ｓの一辺よりも空気ｇの流路分短い長さと空気流路２３の高さ分の幅を持つ矩形の平板である。隔壁２８は、平板の長さ方向の辺が表層板２１及び裏板２２の正方形の面に接触し、幅方向の辺が裏板の正方形の面から垂直に延びるように、裏板２２の正方形の面に取り付けられている。その他の部分は床パネル２０（図３（ａ）参照）と同様に構成されている。床パネル２０Ｓでは、導入口２２ａから流入した空気ｇが蛇行して床パネル２０Ｓの正方形の面全体に接触し、導出口２２ｂから流出するので、確実に床パネル２０Ｓ全体に空気ｇの熱を伝達することができる。なお、床パネル２０Ｓの正方形の面の外周から中心に向かって旋回しながら空気ｇが空気流路２３内を流れるように隔壁２８を設けてもよい。この場合、導入口２２ａは正方形の１つの角部分に形成されることに変わりはないが、導出口２２ｂは、正方形の中心部分に形成されることとなる。
【００１８】
図２に示すように、上述の床パネル２０（以下単に「床パネル２０」というときは床パネル２０Ｒ、２０Ｓであってもよい。以下同じ）は、支持脚２６に支持されることにより、スラブＳＬとの距離が維持されて配設されている。支持脚２６は、受け部材２４とベース２５とで構成されている。
【００１９】
受け部材２４は、典型的には、正方形の平板２４ａと、平板２４ａの中心から面に垂直に延びる円筒２４ｂとで形成されている。平板２４ａは、同一の正方形が４つ形成されるように仮想的に分割したときに、その分割したそれぞれの部分に床パネル２０の導入口２２ａが形成された角部分が載置されるようになっている。つまり、１つの支持脚２６で４枚の床パネル２０のそれぞれの一部分を受け持つようになっている。平板２４ａは、仮想的に分割したときの境界部分を突起部にしてもよい。平板２４ａには、床パネル２０を載置したときに、導入口２２ａと連通する空気孔２４ｈが４つ形成されている。平板２４ａは、例えば、床パネル２０の一辺が５００ｍｍの場合は、平板２４ａの一辺が８０〜１００ｍｍ程度に形成される。円筒２４ｂの側面には、アジャストボルト２４ｖがねじ込まれる長ナット２４ｎが取り付けられている。また、長ナット２４ｎにねじ込まれたアジャストボルト２４ｖが円筒２４ｂの内部に到達可能なように、長ナット２４ｎの外周よりやや小さな貫通孔が円筒２４ｂの側面に形成されている。
【００２０】
ベース２５は、受け部材２４の円筒２４ｂの内径よりもやや小さい直径を有する円柱２５ｓと、円柱２５ｓを垂直に立てるプレート２５ｐとで形成されている。円柱２５ｓは、円筒２４ｂ内に挿入され、円筒２４ｂ内を軸方向にスライドすることができるように構成されている。円柱２５ｓを円筒２４ｂ内でスライドさせることによって、スラブＳＬの表面と、受け部材２４の床パネル２０載置面との距離を調節することができるように構成されている。円柱２５ｓは、アジャストボルト２４ｖ先端との接触部分を増やして、ベース２５への受け部材２４の固定を強化するために、長さ方向に沿って平らな面が形成されていることが好ましい。プレート２５ｐは、典型的には接着剤によってスラブＳＬに固定されるが、アンカーにより固定されることとしてもよい。
【００２１】
チャンバー３１は、直方体の一面が除去された容器状に形成されている。チャンバー３１は、除去された面が、受け部材２４の平板２４ａよりも小さくかつ平板２４ａに形成された４つの空気孔２４ｈすべてを包含する大きさの正方形に形成されている。チャンバー３１の除去された面に垂直な面の長さは、設置された床パネル２０の裏板２２とスラブＳＬとの間の距離よりも短く形成されている。チャンバー３１の除去された面に垂直な面には、ダクト５５を接続するための接続ソケット３２が設けられている。接続ソケット３２が取り付けられた部分のチャンバー３１には、ダクト５５から空気ｇを導入する開口が形成されている。チャンバー３１の除去された面に対向する面には、その中心に、ベース２５の円柱２５ｓの直径よりもやや大きく、隙間ができるだけ小さくなるような挿通孔３１ｈが形成されている。
【００２２】
チャンバー３１は、挿通孔３１ｈに円柱２５ｓを通すことにより、支持脚２６に取り付けられる。チャンバー３１を取り付けるには、まず、支持脚２６を受け部材２４とベース２５に分ける。ベース２５の円柱２５ｓにばね３５を通した後、チャンバー３１の除去された面がばね３５の反対を向くようにして、挿通孔３１ｈを円柱２５ｓに通す。その後、受け部材２４を、４つの空気孔２４ｈがチャンバー３１の除去された面に包含されるようにして、ベース２５に取り付ける。受け部材２４をベース２５に取り付ける際は、ばね３５による反力に逆らうように受け部材２４を押しつけ、受け部材２４が所定の高さになったところでアジャストボルト２４ｖを締め付ける。アジャストボルト２４ｖの締め付けは、典型的には、チャンバー３１にアジャストボルト２４ｖが通る長孔を予め形成しておき、位置決め後に長孔を目張りすることにより行うが、これ以外の方法で行ってもよい。チャンバー３１を用いると、１つの床パネル２０（２０Ａ）に形成された導入口２２ａ（２２ａＡ）と、これに隣接する床パネル２０（２０Ｂ）に形成された導入口２２ａ（２２ａＢ）とに同時に空気ｇを導入することができる。本実施の形態では、４つの床パネル２０の各導入口２２ａに同時に空気ｇを導入することができる。なお、チャンバー３１の除去された面の開口となった縁にスポンジパッキン３６を取り付けると、チャンバー３１と受け部材２４との隙間がなっくなって空気ｇのリークを防ぐことができるので好ましい。また、チャンバー３１の挿通孔３１ｈの縁にも、円柱２５との摺動を妨げずに空気ｇのリークを防ぐスポンジパッキン等の弾性部材を取り付けることが好ましい。
【００２３】
図４を参照して、ダクト内を流れる空気ｇを分配するコアンダ空気分配器４０について説明する。図４はコアンダ空気分配器４０を説明する図であり、（ａ）は斜視図、（ｂ）は平面図である。コアンダ空気分配器４０は、チャンバー４１と湾曲部材４２とを有している。
【００２４】
チャンバー４１は、直方体に形成されている。チャンバー４１には、直方体の１つの面に、空気ｇを流すダクトを接続するメインソケット４４Ａが取り付けられており、メインソケット４４Ａが取り付けられた面４１ｆａに対向する面４１ｆｂに、空気ｇを流すダクトを接続するメインソケット４４Ｂが取り付けられている。メインソケット４４Ａ、４４Ｂは、典型的には、取り付けられる矩形の面４１ｆａ、４１ｆｂに対して、短辺４１ｚが延びる方向にはそのほぼ中央に、長辺４１ｘが延びる方向にはその中央ではなく偏心し、メインソケット４４Ａ及び４４Ｂの芯が１本の直線上に配置されるように取り付けられている。また、メインソケット４４Ａ、４４Ｂが取り付けられた面４１ｆａ、４１ｆｂと垂直な短辺４１ｚを含む面のうち、メインソケット４４Ａ、４４Ｂから遠い方の面４１ｆｃのほぼ中央に、空気ｇを流すダクトを接続するサブソケット４５が取り付けられている。また、チャンバー４１には、コアンダ空気分配器４０をスラブＳＬに固定するための固定ピース４６が取り付けられている。
【００２５】
湾曲部材４２は、チャンバー４１の内部に設けられている。湾曲部材４２は、矩形の平板を、この平板の１組の対向する辺４２ａ、４２ｂ同士を近づけるように湾曲させて湾曲面４２ｆを有するように作られる。辺４２ａ、４２ｂ自体は直線を維持している。湾曲面４２ｆが作る曲線は、典型的には、シャフト４３Ｃに対して垂直方向断面において、シャフト４３Ｃを中心とした円の円弧であるが、楕円の弧のように途中で曲率が変わるものであってもゆるやかに曲がっていればよく、このようなものも円弧の概念に含まれる。湾曲の程度は、円弧の中心角が３０°〜１５０°、好ましくは６０°〜１２０°、さらに好ましくは８０°〜１００°、典型的には９０°とするとよい。湾曲部材４２の湾曲した両辺を挟むように２枚の回動板４３Ａ、４３Ｂが取り付けられている。回動板４３Ａ、４３Ｂは、向かい合う面が平行になるように湾曲部材４２が取り付けられている。２枚の回動板４３Ａ、４３Ｂには、それぞれの中心を貫くシャフト４３Ｃが取り付けられている。湾曲部材４２及び回動板４３Ａ、４３Ｂが取り付けられたシャフト４３Ｃは、チャンバー４１のメインソケット４４Ａ、４４Ｂ及びサブソケット４５が取り付けられた面４１ｆａ、４１ｆｂ、４１ｆｃのいずれにも垂直な２つの面４１ｆｄ、４１ｆｅを貫くようにして、貫く面４１ｆｄ、４１ｆｅに対して垂直にチャンバー４１に取り付けられている。シャフト４３Ｃは、メインソケット４４Ａ、４４Ｂが取り付けられた面４１ｆａ、４１ｆｂのほぼ中間で、かつ、回動板４３Ａ、４３Ｂの径方向の面４１ｆｆ側の端部が、メインソケット４４Ａ、４４Ｂの径方向の面４１ｆｆ側の端部よりもサブソケット４５が取り付けられた面４１ｆｃ側に位置するように、チャンバー４１に取り付けられている。湾曲部材４２は、チャンバー４１内で、湾曲した方向に、シャフト４３Ｃを中心として回動することができるように構成されている。
【００２６】
上記のように構成されたコアンダ空気分配器４０では、メインソケット４４Ａからメインソケット４４Ｂに流れようとする空気ｇの一部が湾曲部材４２に捕捉される。湾曲部材４２に捕捉された空気ｇは、コアンダ効果（流れの中に物体を置いたときにその物体に沿って流れの向きが変わる流体の性質）により湾曲面４２ｆに沿って流れ、サブソケット４５に向かう流れへと方向を変える。このとき、空気ｇが湾曲面４２ｆに沿って流れるので、空気ｇが流れ方向を変える際の圧力損失が軽減され、メインソケット４４Ａ、４４Ｂ間を流れる空気ｇをサブソケット４５から導出される空気ｇに効率よく分配することができる。湾曲部材４２に捕捉されなかった空気ｇは、メインソケット４４Ｂから導出される。なお、湾曲部材４２を回動板４３Ａ、４３Ｂ及びシャフト４３Ｃを介して回動することにより、サブソケット４５側に分配する空気ｇの流量を調節することができる。
【００２７】
図１に示すように、コアンダ空気分配器４０のサブソケット４５とチャンバー３１に設けられた接続ソケット３２とは、フレキシブルダクト５５を介して接続されている。コアンダ空気分配器４０のメインソケット４４Ａ、４４Ｂには、サブダクト５４が接続されている。ただし、１つのサブダクト５４の末端に位置するコアンダ空気分配器４０のメインソケット４４Ｂは、キャップ等で塞がれる。１つのサブダクト５４の最上流に位置するコアンダ空気分配器４０のメインソケット４４Ａに接続されたサブダクト５４は、メインダクト５３に接続されている。
【００２８】
温調機器５１は、パッケージ型空調機やエアハンドリングユニット等が好適に用いられる。温調機器５１は、コイル（不図示）内を流れる流体と熱交換することにより、冷暖房室Ｒを冷房するときは空気ｇを冷却し、冷暖房室Ｒを暖房するときは空気ｇを温めるように構成されている。温調機器５１には、メインダクト５３が接続されている。
【００２９】
続いて図１及び図２を主に参照し、図４を適宜参照して、冷暖房システム１０の作用を説明する。熱媒体としての空気ｇは、温調機器５１で温度が調節された後にメインダクト５３を通り、複数のサブダクト５４に分配される。サブダクト５４に流入した空気ｇは、その後コアンダ空気分配器４０に流入する。コアンダ空気分配器４０では、流入した空気ｇの一部がサブソケット４５からフレキシブルダクト５５に流出し、残りがメインソケット４４Ｂからサブダクト５４に流出する。メインソケット４４Ｂから流出した空気ｇは、次のコアンダ空気分配器４０でさらに空気ｇを分配し、これを必要に応じて繰り返す。他方、サブソケット４５から流出した空気ｇは、フレキシブルダクト５５を介してチャンバー３１に流入する。
【００３０】
チャンバー３１に流入した空気ｇは、４つの床パネル２０の各導入口２２ａから各床パネル２０の空気流路２３に同時に流入する。空気流路２３に流入した空気ｇは、表層板２１及び裏板２２に放熱して床パネル２０を温め（暖房時）、あるいは表層板２１及び裏板２２から吸熱して床パネル２０を冷やす（冷房時）。そして、温められ、あるいは冷やされた床パネル２０からの輻射熱により冷暖房室Ｒの冷房あるいは暖房を行う。表層板２１及び裏板２２に放熱し、あるいは表層板２１及び裏板２２から吸熱した空気ｇは、床パネル２０の導出口２２ｂから流出して、冷暖房室Ｒの床下に形成されている床下チャンバーを介して再び温調機器５１に流入し、温度が調整された後にメインダクト５３を通って複数のサブダクト５４に分配され、上記と同様の作用を繰り返す。なお、この輻射冷暖房に加えて、床パネル２０の導出口２２ｂから床下チャンバーに流出した空気ｇを冷暖房室Ｒに導入し、これを対流させて冷房又は暖房したのちに収集し、収集した空気ｇを温調機器５１に戻すようにしてもよい。
【００３１】
以上の説明では、受け部材２４が正方形の平板２４ａを有して形成されているとして説明したが、受け部材２４の平板２４ａが長方形、四角形以外の多角形、円形や楕円形であっても、受け部材２４が床パネル２０を支えることができ、床パネル２０の導入口２２ａと連通する空気孔２４ｈが形成されていればよい。また、チャンバー３１が直方体の容器状に形成されているとして説明したが、隣接する床パネル２０の導入口２２ａを包含することができ、受け部材２４の平板２４ａと接触したときに空気ｇがリークすることがなければ、円柱の容器状等に形成されていてもよい。
【００３２】
以上の説明では、床パネル２０を配設することにより輻射面が冷暖房室Ｒの床面に形成されることとしたが、冷暖房室Ｒの天井面や壁面に熱媒体流通空間が形成された仕切パネルをを配設して、天井面や壁面を輻射面としてもよい。
【図面の簡単な説明】
【００３３】
【図１】本発明の実施の形態に係る輻射冷暖房システムの全体構成概略図である。
【図２】図１のII−II断面図である。
【図３】床パネルを裏板側から見た図である。（ａ）は平面図、（ｂ）は変形例に係る平面図、（ｃ）は別の変形例に係る平面図である。
【図４】コアンダ空気分配器を説明する図である。（ａ）は斜視図、（ｂ）は平面図である。
【符号の説明】
【００３４】
１０  輻射冷暖房システム
２０、２０Ａ、２０Ｂ、２０Ｒ、２０Ｓ  仕切パネル
２１  表層板
２２  裏板
２２ａ  導入口
２２ｂ  導出口
２３  熱媒体流通空間
３１  チャンバー
５１  温調機器
５３、５４、５５  ダクト
ｇ  熱媒体
Ｒ  冷暖房室
【図１】
2007162970.tif 000003
【図２】
2007162970.tif 000004
【図３】
2007162970.tif 000005
【図４】
2007162970.tif 000006